(57)【要約】【課題】従来の写真プリント装置の仕様に大きな変更を加えずにシートマガジンのオプション装填数を増加することができる技術を提供する【解決手段】印画紙を収納する印画紙マガジンからマイコン制御によって送り出された印画紙に撮影画像をプリントする写真プリント装置。印画紙マガジンにはマイコン３０からの信号によって動作する動作機器１９ａ、Ｍａが備えられ、マイコンのＩＯポート３３と動作機器との間の信号線の間には複数の動作機器を共通のＩＯポートに選択的に接続するためにマイコンからの切替制御信号によって操作される信号線切替回路６０が介装されている【選択図】図４
2007204257.tif 000002
【特許請求の範囲】
【請求項１】
画像形成シートを収納するシートマガジンからマイコン制御によって送り出された画像形成シートに撮影画像をプリントする写真プリント装置であって、前記シートマガジンを複数装填可能であるとともに各シートマガジンには前記マイコンからの信号によって動作する動作機器が備えられているものにおいて、
前記マイコンのＩＯポートと前記動作機器との間の信号線の間には複数の動作機器を共通のＩＯポートに選択的に接続するために前記マイコンからの切替制御信号によって操作される信号線切替回路が介装されていることを特徴とする写真プリント装置。
【請求項２】
前記マイコンはＡＤコンバータ内蔵型ＣＰＵからなるワンチップマイコンであり、前記切替制御信号は前記ＡＤコンバータのＡＤスタートとＡＤエンドのタイミングによって作り出されるパルス信号であることを特徴とする請求項１に記載の写真プリント装置。
【請求項３】
前記動作機器が前記シートマガジン内で画像形成シートを搬送するためのモータと各シートマガジンに収納されている画像形成シートの仕様を識別するために設けられたコードを読み取るコードリーダであることを特徴とする請求項１又は２に記載の写真プリント装置。
【発明の詳細な説明】
【技術分野】
【０００１】
本発明は、画像形成シートを収納するシートマガジンからマイコン制御によって送り出された画像形成シートに撮影画像をプリントする写真プリント装置であって、前記シートマガジンを複数装填可能であるとともに各シートマガジンには前記マイコンからの信号によって動作する動作機器が備えられているものに関する。
【背景技術】
【０００２】
上述したタイプの一般的な写真プリント装置では、画像形成シートとしてロール状に巻き付けられた長尺印画紙が用いられており、ロール状印画紙は巻芯に巻かれた状態でシートマガジンとしてのペーパーマガジンに収納されている。ペーパーマガジンから引き出された印画紙はプリントサイズに基づいて適当な長さにカットされ、露光現像処理を施されることにより写真プリントの形となる。その際、プリントサイズの一方の長さは送り長さによって任意に設定されるが、プリントサイズの他方の長さは元のロール状印画紙の幅に規定されるのでペーパーマガジンを変更しない限り所望の長さを選択することができない。さらに、ユーザ嗜好の多様化から種々の材質の印画紙や種々のプリントサイズが要求され、これらの要求を満たすためにそれぞれ異なる印画紙を収納した多くのペーパーマガジンを備えることになる。さらに、手間のかかるペーパーマガジンの装填換え作業をできるだけ抑制するためには、１台の写真プリント装置に同時に装填できるペーパーマガジンの数を増やす必要があり、例えば２台のペーパーマガジンを本体内部に装填可能とするとともにさらに１台のペーパーマガジンを本体外部にオプション装填可能とするものも提案されている（例えば、特許文献１参照）。
【０００３】
【特許文献１】特開２００５−３０９２２６号公報（段落番号００１２−００１７、図３）
【発明の開示】
【発明が解決しようとする課題】
【０００４】
デジタルカメラやカメラ付き携帯電話の普及につれてプリントソースの多様化が進み、１台の写真プリント装置に同時に装填できるシートマガジンの増加の要求はますます強まっている。そのため、少なくともオプションとしてより多くのシートマガジンを装填可能に構成することが望まれている。シートマガジンには収納されている画像形成シートの送り出し制御等の目的でマイコンと信号のやり取りを行う機器が備えられており、シートマガジンが追加されると、追加されたシートマガジンとの信号のやり取りのためにマイコンのＩＯポートを確保する必要が生じるが、写真プリント装置の制御のために搭載されているマイコンに用意されているＩＯポートの数は十分ではない。しかしながら、従来の写真プリント装置の仕様を大幅に変更して、例えば、シートマガジンのオプション装填のためにマイコンを増やすようなことをして、シートマガジンのオプション装填数を増加させることはコスト的に許容しがたい。
【０００５】
上記実状に鑑み、本発明の課題は、従来の写真プリント装置の仕様に大きな変更を加えずにシートマガジンのオプション装填数を増加することができる技術を提供することである。
【課題を解決するための手段】
【０００６】
上記課題を解決するため、画像形成シートを収納するシートマガジンからマイコン制御によって送り出された画像形成シートに撮影画像をプリントする写真プリント装置において、本発明では、前記シートマガジンを複数装填可能であるとともに各シートマガジンには前記マイコンからの信号によって動作する動作機器が備えられ、前記マイコンのＩＯポートと前記動作機器との間の信号線の間には複数の動作機器を共通のＩＯポートに選択的に接続するために前記マイコンからの切替制御信号によって操作される信号線切替回路が介装されている。
【０００７】
この構成では、シートマガジンに関する制御のために予め割り与えられているＩＯポートからの信号線と１つのシートマガジンに付属する動作機器の間を接続する信号線に、予め信号線切替回路を介装しておき、この信号線切替回路の２次側に本来のシートマガジンに付属する動作機器への信号線のための入出力端子以外に少なくとももう１つのオプショナルなシートマガジンに付属する動作機器への信号線のための入出力端子を用意しておく。この信号線切替回路をマイコンからの切替制御信号によって操作することにより、１つのシートマガジンのために割り当てられていたＩＯポートを他のオプショナルなシートマガジンのためにも選択的に利用することが可能になる。例えば、ＡとＢとＣの３つのシートマガジンが標準装備され、Ｃのシートマガジンのために割り当てられたＩＯポートからの信号線に前述した信号線切替回路を介装した写真プリント装置に、追加的にＤのシートマガジンを装填する場合には、Ｄのシートマガジンに付属する動作機器を信号線切替回路の予備の入出力端子に接続することで、Ｃのシートマガジンとの間でＣのシートマガジンに割り当てられていたＩＯポートを選択的に利用することができる。これにより、ＩＯポート消費するシートマガジンのオプション装填数を増加したいという要望に対して、写真プリント装置に設けられていたマイコンはそのままでも、対応することができる。
【０００８】
写真プリント装置には、制御用マイコンとして一般的にはワンチップマイコンが利用されており、そのマイコンのＩＯポートの数はあまり余裕がないので、本発明は好都合である。しかしながら、ＩＯポートの問題は上記解決策で解消されるが、信号線切替回路に対するパルス形状の切替制御信号を生成するためには内部タイマーが必要となり、この内部タイマーも他の処理のために使用可能なものが残っていないというケースがある。このような問題を解消するため、マイコンのＣＰＵがＡＤコンバータ内蔵型ＣＰＵである場合、信号線切替回路のための切替制御信号を内蔵ＡＤコンバータのＡＤスタートとＡＤエンドのタイミングによって作り出すことが、好適な実施形態の１つとして提案される。
【０００９】
本発明による信号線切替回路を介してＩＯポートに接続される動作機器として、本発明の好適な実施形態の１つでは、シートマガジン内で画像形成シートを搬送するためのモータと、各シートマガジンに収納されている画像形成シートの仕様を識別するために設けられたコードを読み取るコードリーダとが対象となっている。切替制御信号を生成するだけで同一のＩＯポートと複数のシートマガジンのモータやコードリーダとの間でデータのやり取りが可能となる。なお、切替先が２系統の場合は信号線切替回路を単純なフリップフロップ形式で構成してもよいが、切替先が３系統以上の場合は切替制御信号に加えて複数ビットの切替先指定コードデータを受け取り、そのビットコードに適応する切替先にＩＯポートを割り当てるような構成を採用してもよい。
【発明を実施するための最良の形態】
【００１０】
以下、本発明の実施形態を図面に基づいて説明する。
図１は本発明によるＩＯポート切替技術を採用している写真プリント装置を示す外観図であり、この写真プリント装置は、画像形成シートとしての印画紙Ｐに対して露光処理と現像処理とを行って撮影画像を印画紙Ｐに焼き付ける写真プリンタとしてのプリントステーション１Ｂと、現像済み写真フィルム２ａやデジタルカメラ用メモリカードなどの画像入力メディアから取り込んだ撮影画像データ（以下、単に撮影画像と略称する）を処理してプリントステーション１Ｂで使用されるプリントデータの生成・転送などを行う操作ステーション１Ａとから構成されている。
【００１１】
この写真プリント装置はデジタルミニラボとも称せられるものであり、図２からよく理解できるように、この実施形態では、プリントステーション１Ｂは３つのシートマガジン１０を装備しているとともに、もう１つのシートマガジン１０がオプションとして装填可能となっている。これらのシートマガジン１０には画像形成シートとしての印画紙Ｐが収納されているので、以後シートマガジン１０を印画紙マガジンと呼ぶとともに、それぞれを区別する場合には、装置内部に装填されている２つを第１印画紙マガジン１０Ａ及び第２印画紙マガジン１０Ｂと呼び、外部に装填されているものを第３印画紙マガジン１０Ｃ、さらに、第３印画紙マガジン１０Ｃの上方に追加装填されるものをオプション印画紙マガジン又は第４印画紙マガジン１０Ｄと呼ぶことにする。これらの印画紙マガジン１０には収納されたロール状の印画紙Ｐを引き出すために、マガジン内搬送モータＭａによって駆動される圧着型の駆動ローラ１１が設けられている。印画紙マガジン１０から引き出された印画紙Ｐはマガジン外搬送モータＭｂによって駆動される圧着型の駆動ローラユニット１２によってシートカッター１３の方へ送られる。
【００１２】
さらに、各印画紙マガジン１０には、数ビットのディジット表示可能なマガジンＩＤコード設定器１９ｂが設けられているとともに、このマガジンＩＤコード設定器１９ｂによって設定されたマガジンＩＤコードを読み取るためにマガジンＩＤコード設定器１９ｂに対向してコードリーダ１９ａが写真プリント装置の筐体側に設けられている。後で詳しく説明するように、このコードリーダ１９ａから送られるマガジンＩＤコードを解釈することで、各印画紙マガジン１０に収納されている印画紙Ｐの仕様などの各種情報が取得可能となる。
【００１３】
印画紙マガジン１０から引き出されシートカッター１３でプリントサイズにカットされた印画紙Ｐは、バックプリント部で色補正情報やコマ番号などのプリント処理情報を印画紙Ｐの裏面に印字される。さらに、プリント露光部１４で印画紙Ｐの表面に撮影画像の露光が施され、この露光後の印画紙Ｐは複数の現像処理槽を有した処理槽ユニット１５に送り込まれることで現像処理される。処理槽ユニット１５を出た印画紙Ｐは乾燥の後に装置上部の横送りコンベア１６からソータ１７に送られ、いわゆる写真プリントＰとして、ソータ１７の各トレイにオーダ単位で集積される。
【００１４】
上述したように、印画紙Ｐに対する各種処理に合わせた搬送速度で印画紙Ｐを搬送するために印画紙搬送ライン１８が敷設されている。この印画紙搬送ライン１８に沿って、各印画紙マガジン１０に収納された印画紙Ｐがその使用の際に印画紙マガジン１０から引き出され、使用終了時には再び印画紙マガジン１０に引き戻される。印画紙搬送方向に関してプリント露光部１４の前後の印画紙搬送ラインにはチャッカー式印画紙搬送ユニット１８ａを含む複数の挟持搬送ローラ対が配置されている。
【００１５】
また、図１から理解できるように、プリントステーション１Ｂの筐体の前面側には内部を開放する扉が設けられており、筐体に設けられた扉を開放することで第１印画紙マガジン１０Ａ又は第２印画紙マガジン１０Ｂを手前に引き出してのマガジン交換つまり印画紙交換を行うことが可能となり、筐体外側のサブ筐体の扉を開放することで第３印画紙マガジン１０Ｃを手前に引き出してのマガジン交換を行うことが可能となる。同様に、オプショナルな第４印画紙マガジン１０Ｄのマガジン交換は、この第４印画紙マガジン１０Ｄを納めるサブ筐体の扉を開放することで可能となる。
【００１６】
プリント露光部１４には、副走査方向に搬送される印画紙Ｐに対して、主走査方向に沿って操作ステーション１Ａからのプリントデータに基づいてＲ（赤）、Ｇ（緑）、Ｂ（青）の３原色のレーザ光線の照射を行うライン露光ヘッドが設けられている。処理槽ユニット１５は、発色現像処理液を貯留する発色現像槽１５ａと、漂白定着処理液を貯留する漂白定着槽１５ｂと、安定処理液を貯留する安定槽１５ｃを備えている。
【００１７】
前記操作ステーション１Ａのデスク状コンソールの上部位置には、写真フィルム２ａの撮影画像コマから撮影画像データ（以下特別な場合を除いて単に撮影画像と略称する）を取得するフィルムスキャナ４が配置されており、デジタルカメラ等に装着される撮影画像記録媒体として用いられている各種半導体メモリやＣＤ−Ｒなどから画像データを取得するメディアリーダ６は、この写真プリント装置の操作制御コントローラ３としても機能する汎用パソコンに組み込まれている。この汎用パソコンには、さらに各種情報を表示するモニタ５、各種設定や調整を行う際に用いる操作入力部として利用される操作入力デバイスとしてのキーボードやマウスも接続されている。
【００１８】
図３に示すように、プリントステーション１Ｂの印画紙搬送ライン１８における印画紙Ｐの搬送制御のための搬送用マイコン３０やプリント露光部１４における露光制御のための露光用マイコン４０が備えられ、これらのマイコン３０と４０は、互いに連係しているとともに、操作ステーション１Ａの操作制御コントローラ３とも連係して動作する。
【００１９】
搬送用マイコン３０はＡＤコンバータ３０ａを内蔵したワンチップマイコンで構成されており、印画紙マガジン管理を含む印画紙搬送制御のための種々の機能をハードウエア又はソフトウエアあるいはその両方で構築しているが、その代表的なものとして、コードリーダ１９ａから送られる各印画紙マガジン１０のマガジンＩＤコードを用いて収納印画紙Ｐの印画紙仕様などのマガジン情報を認識するマガジン情報認識部５１、この写真プリント装置に装填されている複数の印画紙マガジン１０からその都度のプリントオーダで使用する印画紙マガジン１０を選択するマガジン選択部５２、各印画紙マガジン１０内に設けられている駆動ローラ１１を駆動するマガジン内搬送モータＭａを制御するマガジン内搬送制御部５３、印画紙搬送ライン１８に配置された駆動ローラユニット１２を駆動するマガジン外搬送モータＭｂを制御するマガジン外搬送制御部５４が挙げられる。
【００２０】
マガジン情報認識部５１は、各印画紙マガジン１０に設けられたマガジンＩＤコード設定器１９ｂからコードリーダ１９ａを通じて読み取られたマガジンＩＤコード検出信号を受け取り、マガジンＩＤコードを生成し、このマガジンＩＤコードをキーとして、マガジン情報を格納したマガジン情報テーブルから各印画紙マガジン１０に収納されている印画紙Ｐの情報（印画紙サイズ幅、新品時の印画紙長さ、印画紙残量など）を引き出すように構築されている。
【００２１】
なお、図示されていないが、各印画紙マガジン１０又は印画紙搬送ライン１８には印画紙マガジン１０から引き出される印画紙Ｐの後端を検出する、つまり印画紙切れを検出するセンサが設けられており、このセンサが作動するとオペレータにマガジン交換を促すために、モニタ５やその他の報知手段（ブザーやランプなど）を通じてその旨の警告がなされるように印画紙切れ信号を操作ステーション１Ａに送る機能も、搬送用マイコン３０には構築されている。
【００２２】
搬送用マイコン３０は、ＡＤコンバータ３０ａを内蔵したワンチップマイコンで構成されており、比較的多くのＩＯポートが備えられているが、この写真プリント装置のように２つ以上の印画紙マガジン１０を装備するとともにさらに１又は複数のオプショナルな印画紙マガジン１０の装填を可能にしている場合、オプション分を含めると印画紙マガジン１０に割り当てるＩＯポート、詳しくはＩＯポートの端子（以下ＩＯピンと称する）が不足することになる。このため、図４で示されているように、この搬送用マイコン３０のＩＯピンからの信号線の少なくとも一部は信号線切替回路６０によって複数の印画紙マガジン１０、つまり複数の印画紙マガジン１０に設けられている動作機器が選択的に使用できるように構成されている。
【００２３】
図４で示された例では、第１印画紙マガジン１０ＡにはＩＯポート３１が割り当てられており、そのＩＯピンＰＡ０１〜ＰＡ０３が第１印画紙マガジン１０Ａの搬送用モータＭａを駆動するドライバＡと信号線で接続されており、そのＩＯピンＰＡ０４〜ＰＡ０７が第１印画紙マガジン１０Ａのコードリーダ１９ａと信号線で接続されている。同様に、第２印画紙マガジン１０ＢにはＩＯポート３２が割り当てられており、そのＩＯピンＰＢ０１〜ＰＢ０３が第２印画紙マガジン１０Ｂの搬送用モータＭａを駆動するドライバＢと信号線で接続されており、そのＩＯピンＰＢ０４〜ＰＢ０７が第２印画紙マガジン１０Ｂのコードリーダ１９ａと信号線で接続されている。これに対して、第３印画紙マガジン１０Ｃとオプションとしての第４印画紙マガジン１０Ｂの両者にはＩＯポート３３が割り当てられており、その信号線に信号線切替回路６０が介装されている。信号線切替回路６０の出力端子群６１ａには第３印画紙マガジン１０Ｃの搬送用モータＭａを駆動するドライバＣがつながっており、信号線切替回路６０の出力端子群６１ｂには第４印画紙マガジン１０Ｄの搬送用モータＭａを駆動するドライバＤが接続可能であり、さらに信号線切替回路６０の出力端子群６２ａには第３印画紙マガジン１０Ｃのコードリーダ１９ａと接続されており、信号線切替回路６０の出力端子群６２ｂには第４印画紙マガジン１０Ｄのコードリーダ１９ａと接続可能である。
【００２４】
信号線切替回路６０にはＩＯポート３３が割り当てられており、そのＩＯピンＰＣ０１〜ＰＣ０３が信号線切替回路６０の１次側入出力端子群６３と信号線で接続され、そのＩＯピンＰＣ０４〜ＰＣ０７が信号線切替回路６０の１次側入出力端子群６４と信号線で接続され、そのＩＯピンＰＣ０８〜ＰＣ０９が信号線切替回路６０の切替モード入力端子群６５と信号線で接続され、そのＩＯピンＰＣ１０が信号線切替回路６０の切替制御信号入力端子６６と信号線で接続されている。
【００２５】
切替モード入力端子群６５は、ＩＯピンＰＣ１０に生じて切替制御信号入力端子６６に入るＨレベルのタイミングをトリガーとして、ＩＯピンＰＣ０８〜ＰＣ０９に生じている２ビットの切替モードを受け取り、１次側入出力端子群６３と１次側入出力端子群６４の切替先を決定する。この例では、切替先は２次側入出力端子群６１ａ又は６１ｂ、２次側入出力端子群６２ａ又は６２ｂであり、結果的には切替モード信号と切替制御信号により、信号線切替回路６０は、ＩＯポート３を第３印画紙マガジン１０Ｃと第４印画紙マガジン１０Ｄのいずれかが使用できるようにする。もちろん、切替モード信号として２ビットを与えているので、この構成のままで、第５、第６の印画紙マガジンをさらに追加することもできるし、また、第１印画紙マガジン１０Ａ〜第４マガジン１０Ｄを切り替えてＩＯポート３で共通使用することも可能である。
【００２６】
なお、信号線切替回路６０の切替制御信号入力端子６６に入る切替制御信号はある長さのＨレベルを維持したパルス信号であり、この切替制御信号をマイコン３０内で生成するためにはタイマーを用いることになる。しかしながら、マイコン３０に内蔵されているタイマーは他の処理に使用されている可能性が高く、通常この切替制御信号の生成のために使用することができない。このため、マイコン３０に内蔵されているＡＤコンバータ３０ａの機能を利用し、このＡＤコンバータ３０ａのＡＤスタートとＡＤエンドのタイミングを該当レジスタから読み取って、例えば、ＡＤスタートのタイミングでＬレベルからＨレベルに立ち上がり、ＡＤエンドのタイミングでＨレベルからＬレベルに立ち下がるパルス信号を生成し、これを切替制御信号としてＩＯピンＰＣ１０に与える構成を採用している。なお、このような信号線切替回路６０は、ＦＰＧＡ（Field Programmable Gate Array）で簡単に構成することができる。
【００２７】
このように構成されたＩＯポート兼用技術において、ＩＯポート３３を第３印画紙マガジン１０Ｃと第４印画紙マガジン１０Ｄで選択使用するアルゴリズムの一例を以下に説明する。
第４印画紙マガジン１０Ｄの搬送モータＭａを駆動する場合（ドライバＤへのモータ制御用信号の供給）：
(1)  ＩＯポート３３のＩＯピンＰＣ０１〜ＰＣ０３を出力モードとしてモータ制御用信号のデータを与える。
(2)  ＩＯポート３３のＩＯピンＰＣ０８〜ＰＣ０９に第４印画紙マガジン１０Ｄを選択するための切替モードを示すビットをたてる。
(3)  ＩＯポート３３のＩＯピンＰＣ１０の状態をＡＤコンバータ３０ａのＡＤスタートとＡＤエンドのタイミングを用いてＬレベル−Ｈレベル−Ｌレベルに変化させる。
(4)  切替制御信号としてのＩＯピンＰＣ１０の状態変化に基づいて、信号線切替回路６０はＩＯピンＰＣ０８〜ＰＣ０９のビット値から切替モードを決定する。
(5)  信号線切替回路６０は、決定された切替モードに基づき、入力端子群６３を出力端子群６１ｂに、１次側入出力端子群６４を２次側入出力端子群６２ｂに接続する。その結果、ＩＯポート３３のＰＣ０１〜ＰＣ０３に与えられたモータ制御用信号のための１次側入出力端子群６３は２次側入出力端子群６１ｂに接続されるので、モータ制御用信号はドライバＤに送られる。
(6)ドライバＤは受け取ったモータ制御用信号に基づき、第４印画紙マガジン１０Ｄの搬送モータＭａを駆動する。
第４印画紙マガジン１０Ｄのコードリーダ１９ａの値を読み取る場合（ドライバＤへのモータ制御用信号の供給）：
(1)  ＩＯポート３３のＩＯピンＰＣ０４〜ＰＣ０７入力モードとしてマガジンＩＤコードの受け取り準備をする。
(2)  ＩＯポート３３のＩＯピンＰＣ０８〜ＰＣ０９に第４印画紙マガジン１０Ｄを選択するための切替モードを示すビットをたてる。
(3)  ＩＯポート３３のＩＯピンＰＣ１０の状態をＡＤコンバータ３０ａのＡＤスタートとＡＤエンドのタイミングを用いてＬレベル−Ｈレベル−Ｌレベルに変化させる。
(4)  切替制御信号としてのＩＯピンＰＣ１０の状態変化に基づいて、信号線切替回路６０はＩＯピンＰＣ０８〜ＰＣ０９のビット値から切替モードを決定する。
(5)  信号線切替回路６０は、決定された切替モードに基づき、１次側入出力端子群６３を２次側入出力端子群６１ｂに、１次側入出力端子群６４を２次側入出力端子群６２ｂに接続する。その結果、ＩＯポート３３のＰＣ０４〜ＰＣ０７と接続されている１次側入出力端子群６４は２次側入出力端子群６２ｂに接続されるので、第４印画紙マガジン１０Ｄのコードリーダ１９ａからの検出信号はＩＯピンＰＣ０４〜ＰＣ０７に入る。
(6)  マイコン３０は、受け取ったマガジンＩＤコードから、第４印画紙マガジン１０Ｄに収納されている印画紙Ｐの仕様、製造メーカ、印画紙幅、紙質などを把握する。
【００２８】
第３印画紙マガジン１０Ｃの搬送モータＭａを駆動する場合や第３印画紙マガジン１０ｃのコードリーダ１９ａの値を読み取る場合に関しては、ＩＯポート３３のＩＯピンＰＣ０８〜ＰＣ０９に第３印画紙マガジン１０Ｃを選択するための切替モードを示すビットをたてるだけが異なるだけで、後は類似の手順で行えるため、ここでは説明の繰り返しは省略する。
【００２９】
このように、本願発明の写真プリント装置では、印画紙マガジン１０の追加が生じても、制御系の構成を変える必要がなく、印画紙マガジン１０のオプション装填数をマガジン制御用のマイコンのＩＯポートの数や、使用可能タイマーの数に限定されずに、増加することができる。
【図面の簡単な説明】
【００３０】
【図１】本発明による写真プリント装置の外観模式図
【図２】写真プリント装置を構成するプリントステーションの構成を示す模式断面図
【図３】マガジン内印画紙搬送やマガジン外印画紙搬送の仕組みを説明する説明図
【図４】印画紙マガジン管理用マイコンにおけるＩＯポート選択を説明する説明図
【符号の説明】
【００３１】
１０：印画紙マガジン（シートマガジン）
１０Ａ：第１印画紙マガジン（シートマガジン）
１０Ｂ：第２印画紙マガジン（シートマガジン）
１０Ｃ：第３印画紙マガジン（シートマガジン）
１０Ｄ：第４印画紙マガジン（シートマガジン）
１９ａ：コードリーダ（動作機器）
３０：マイコン
３０ａ：マイコン内蔵ＡＤコンバータ
５１：マガジン情報認識部
５２：マガジン選択部
５３：マガジン内搬送制御部
５４：マガジン外搬送制御部
６０：信号線切替回路
Ｍａ：マガジン内搬送モータ（動作機器）
Ｐ：印画紙（画像形成シート）
【図１】
2007204257.tif 000003
【図２】
2007204257.tif 000004
【図３】
2007204257.tif 000005
【図４】
2007204257.tif 000006